(57)【要約】【課題】  屋根の新設時において、予め安全具を傾斜屋根面の適所に固定しておくことにより、以後の屋根作業時には、安全具により作業員の安全確保を図り、かつ補修資材、機材などの確保も行えるようにした。【解決手段】  傾斜屋根面にビスや釘などの固定具６を介して固定される取付部２と、取付部２の軒側端部に連設される連結部４と、連結部先端に連設される安全索係止部５とからなる安全具１を、傾斜屋根面に予め取り付け固定し、作業者は、その安全索を安全具１の係止部５に係止させて屋根上作業を行う。【選択図】    図１
2005273417.tif 000002
【特許請求の範囲】
【請求項１】
傾斜屋根面に固定具を介して固定される取付部と、取付部の軒側端部に連設される連結部と、連結部先端に連設される安全索係止部とからなることを特徴とする屋根作業用安全具。
【請求項２】
前記取付部、連結部及び安全索係止部が、金属板を一体成形した構造であり、前記安全索係止部が連結部から所定角度で立上がるとともに安全索係止用の係止孔を形成した構造であることを特徴とする請求項１に記載の屋根作業用安全具。
【請求項３】
前記取付部が金属板又はプラスチック板により形成されているとともに、前記連結部がワイヤーから構成されていることを特徴とする請求項１に記載の屋根作業用安全具。
【請求項４】
ワイヤーの先端側に形成されたループを安全索係止部とすることを特徴とする請求項３に記載の屋根作業用安全具。
【請求項５】
請求項１乃至４のいずれか１項に記載の屋根作業用安全具が、その前記取付部を、傾斜屋根の屋根瓦の下面における屋根下地材に固定し、その前記安全索係止部を、前記屋根瓦の連接下方における屋根瓦の上面に表出させた状態で、傾斜屋根面に予め設けられていることを特徴とする屋根作業の安全構造。
【請求項６】
前記屋根作業用安全具が、傾斜屋根面各部の複数箇所に予め設けられていることを特徴とする請求項５に記載の屋根作業の安全構造。
【発明の詳細な説明】
【技術分野】
【０００１】
本発明は、屋根作業時の安全性確保に資するための屋根作業用安全具及び安全構造に関する。
【背景技術】
【０００２】
建物の屋根は、施工後の経年変化に応じてメンテナンスを行ったり、屋根施工後にアンテナの取付、交換作業を行う場合もある。
この場合、屋根職人やアンテナ取付工などの作業員が屋根に上って資材の持ち上げや補修、取付、交換作業を行うものであるが、特に瓦屋根の場合には、その勾配に応じて傾斜があるため滑りやすく、高所作業であるため、作業にあたっては、作業員自体の身体確保や、持ち上げた資材や機材の確保に留意する必要がある。
【０００３】
一般に、上記の屋根上作業員は、命綱と称される安全索によって、身体の安全を確保しているのであるが、安全索の係止を確実に行う必要があり面倒であった。
【０００４】
このため、下記特許文献１に示される屋根作業用の安全金具が提案されている。この提案構造では、瓦屋根頂部の棟瓦の下面に沿って、半円形状の安全金具本体を固定し、該安全金具本体の棟瓦の下面からの突出腕部に設けた把手に作業員の安全索を係止させるようにしている。
【特許文献１】特開平８−１３５０９６号公報
【発明の開示】
【発明が解決しようとする課題】
【０００５】
ところが、上記従来の安全金具では、瓦屋根頂部の棟瓦の下面に取り付けられる構造であるため、その取付施工が面倒で複雑となる。また、作業員は、屋根の頂部に登ってから安全索を係止させる必要があるため、屋根への登り口或いは傾斜屋根部では不安定であり、作業範囲も狭いという課題がある。
【０００６】
そこで本発明は、以上の課題を解決するものであり、その目的は、屋根の新設時において、予め安全具を傾斜屋根面の適所に固定しておくことにより、以後の屋根作業時には、安全具により作業員の安全確保を図り、かつ補修資材、機材などの確保も行えるようにした構造及び取り付けの比較的簡単な屋根作業用安全具及び安全構造を提供するものである。
【課題を解決するための手段】
【０００７】
前記目的を達成するため、本発明の屋根作業用安全具は、傾斜屋根面にビスや釘などの固定具を介して固定される取付部と、取付部の軒側端部に連設される連結部と、連結部先端に連設される安全索係止部とからなることを特徴としている。取付部は、屋根下地板に固定されるように平板状とされる。取付部の外形は、矩形状、円形状、多角形状、長板状など適宜の形状とすることができる。
【０００８】
図１の第１実施の形態に示すように、本発明の安全具１は、上記取付部２、連結部４及び安全索係止部５が、金属板を一体にプレス成形した構造であり、安全索係止部５が連結部４から所定角度で立上がるとともに安全索係止用の係止孔７を形成した構造であることを特徴としている。
【０００９】
また、図４の第２実施の形態に示すように、本発明の安全具２０は、上記取付部２１が金属板又はプラスチック板により板状に形成されているとともに、上記連結部２４がワイヤーから構成され、ワイヤーの先端側に形成されたワイヤーによる折り返しループを安全索係止部２３Ｂとすることを特徴としている。取付部２１とワイヤーによる連結部２４とは、取付部２１に設けた取付孔２２ａにワイヤーの端部を結合しても、溶接などにより結合してもよい。また、係止部２３Ｂは、ワイヤーの端部に結合される板体により形成してもよい。
【００１０】
さらに、本発明の屋根作業の安全構造では、上記の安全具１（２０）を用い、その上記取付部２（２１）を、傾斜屋根の屋根瓦１５の下面における屋根下地材（屋根下地板１３）に固定し、その上記安全索係止部５（２３Ｂ）を、前記屋根瓦１５の連接下方における屋根瓦１５の上面に表出させた状態で、傾斜屋根面に予め設けたことを特徴としている。この場合、屋根瓦１５には、和瓦、洋瓦、スレート、銅葺きなどの金属板金など、各種の屋根葺き材を含むものである。
【００１１】
上記の安全具１（２０）は、傾斜屋根面各部の複数箇所に予め設けられていることが、作業の安全性と行動範囲を広く取る上において望ましい。
【発明の効果】
【００１２】
したがって本発明では、屋根上で作業を行う場合には、予め傾斜屋根に固定した上記の安全具の安全索係止部に、カラビナなどの係止具を介して、作業員に一端を連結した安全索（命綱）を連結しておくことにより、作業の安全性を確保した状態で修繕などのメンテナンス作業を行うことができる。
【００１３】
また、安全具として、図１に示す、取付部２、連結部４及び安全索係止部５を金属板の一体成形により形成した全体として板状の安全具１は、屋根瓦１５がスレート等の板状であって、上下の瓦の重なり部が平坦な場合に適している。また、安全具として、図４に示す、連結部２４がワイヤーから構成される安全具２０は、屋根瓦１５が和瓦などの、上下の瓦の重なり部に凹凸がある場合に適している。
【００１４】
さらに安全具１（２０）を、傾斜屋根面各部の複数箇所に予め設けておくことにより、屋根面の移動毎に、その作業位置近傍の安全索係止部に安全索を付け替えるのみでよいため、安全索の長さが短くても良く、転倒時における滑落距離が短く、ダメージが小さい。また、安全具１（２０）を、梯子や工具入れ等の係止用に用いることができる。
【発明を実施するための最良の形態】
【００１５】
以下本発明の好適な実施の形態を添付図面を参照して説明する。図１は本発明の第１実施形態による安全具を示すものである。
【００１６】
図１において、安全具１は、ステンレスなどの耐錆性のある所定厚みの金属板をプレス成形などによって一体成型した、全体として長板形状のものであり、取付部２と、取付部２の先端に後述の瓦厚みに該当する段差３を設けて一体化された細長状の連結部４と、連結部４の先端に斜めに立ち上げ形成された安全索係止板５とからなっている。
【００１７】
そして、取付部２には複数の固定孔２ａが打抜きにより形成され、これら固定孔２ａに木工用ビスなどの固定具６を挿通し、後述する屋根下地材に取付部２を強固に固定するようになっている。
【００１８】
また、係止部５の中央には、安全索（命綱）先端のカラビナなどの係止具を掛止するための長孔よりなる係止孔７がプレス打抜きなどによって開口されている。
【００１９】
さらに取付部４と係止部５との折曲部位には、一本又は複数本の平行な凸条８が形成され、この部位の補強を行っている。
【００２０】
次に、以上の安全具１の傾斜屋根面に対する取付手順及び使用形態を図２を用いて説明する。
この傾斜屋根は、屋根勾配に沿って設けられた垂木１０と、垂木１０の軒側に取付けた鼻隠し１１と、鼻隠し１１の前面にこれの長手方向に沿って取付けた軒樋１２と、垂木１０上に設置された屋根下地板１３（野地板）及びこれの上面を覆うアスファルトフェルト１４などを備え、屋根瓦１５は軒側端部から順次棟側に向けてその一部を重ね合せながら葺かれる。
【００２１】
そして、（ａ）に示すように、屋根瓦１５何段か目の上部において屋根下地板１３（アスファルトフェルト１４）上に前記安全具１の取付部２が固定具６により固定される。
固定状態では連結部４は棟側の瓦１５の上面に沿って位置し、その先端の係止部５を斜めに立ち上げた状態となる。
【００２２】
この状態で（ｂ）に示すように安全具１上に棟側の瓦１５を設置することで、連結部４の先端の一部と係止部５が軒側の瓦１５上に位置する。
【００２３】
したがって、屋根施工後に屋根上で作業を行う場合には、（ｃ）に示すように、係止部５の係止孔７に安全索１６先端に設けたカラビナなどの係止具１７を引っ掛け係止すれば、作業員の安全を確保した上で屋根作業を行うことができる。
【００２４】
なお、本発明は、和瓦葺き屋根、洋瓦、スレート葺き、金属屋根葺きなど各種屋根に対応できる
【００２５】
図３は、以上の安全具を複数設けた屋根を示す。このうち（ａ）は屋根の平面図、（ｂ）は同屋根の側面図、（ｃ）は２階建て家屋の下屋根の平面図である。
図（ａ）（ｂ）の例では、安全具は、傾斜屋根の下部、中間部及び上部に設けられ、下部の安全具は梯子の固定用、中間部の安全具は昇降用、上部の安全具は作業用である。
安全具は、複数、横方向に間隔を明けて設けることができ、その場合の配置間隔は３間以内に一カ所でよい。横方向に間隔を明けて配置した安全具間に、固定式の安全索（親綱）を連続して連結し、作業員はこの横方向の安全索（親綱）に命綱となる安全索１６を係止することで、移動が容易となり、加えて作業員が転倒などした場合、上記固定式安全索（親綱）を通じて各安全具１に引張り力が分散して伝達されるため、引張り力が生じた場合に個々の安全具１の負担が軽減される。
【００２６】
図４は、本発明による安全具の第２実施の形態を示すものである。図４において、この安全具２０は、ステンレスなどの耐錆性のある所定厚みの金属板をプレス成形などによって一体成型し、かつ前記固定具６を挿通する複数の固定孔２１ａを開口した取付部２１と、取付部２１の先端に立ち上げ形成された立上げ部２２及び、両端にループを形成したワイヤーによる連結部２４とからなっている。ループの一端側を前記立上げ部２２に開口されたワイヤ取付孔２２ａに挿通してそのループをカシメにより閉じ、ループ結合部２３Ａとする。また、他端側ループを安全索の係止部２３Ｂとしている。この安全具２０の屋根への取付手順は前記第一の実施形態と同様である。
【００２７】
第２実施形態では、瓦の厚みが異なっていたり、屋根勾配が異なっていても、ワイヤーの可撓性によりそれに応時手追随できるため、汎用性に富む。
【図面の簡単な説明】
【００２８】
【図１】本発明の第１実施形態による安全具の斜視図である。
【図２】（ａ）〜（ｃ）は同安全具の屋根面への取付手順及び取付後の使用状態を示す部分断面図である。
【図３】（ａ）〜（ｃ）は同安全具を複数配置した屋根の状態を示す概略説明図である。
【図４】本発明の第２実施形態による安全具の斜視図である。
【符号の説明】
【００２９】
１，２０  安全具
２，２１  取付部
２ａ，２１ａ  固定孔
３  段差
４，２４  連結部
５，２３Ｂ  係止部
６  固定具
７  係止孔
１３  屋根下地板
１４  アスファルトフェルト
１５  屋根瓦
２２  立上げ部
２２ａ  立上げ部
２３Ａ  結合部
【図１】
2005273417.tif 000003
【図２】
2005273417.tif 000004
【図３】
2005273417.tif 000005
【図４】
2005273417.tif 000006